(57)【要約】【課題】光源の直接視認を防止できるとともに、フレームの設置による導光板の出光面における光らない問題を解消できる面発光装置、面発光装置の製造方法及び導光板を提供する。【解決手段】面発光装置１は、光源２と、該光源２からの光を面状に出射する導光板３と、光源２と導光板３との間に設けられた遮光部材４とを備える。導光板３は、表側に配置された第１出光面３１ａと裏側に配置された第１裏面３１ｂとを有する主体部３１と、主体部３１に対して折り曲げられるとともに少なくとも入光面３２ｃを有する折曲部３２とを含む。折曲部３２は、入光面３２ｃが主体部３１よりも裏側に位置するように折り曲げられている。【選択図】図２
2019053964.tif 000002
【特許請求の範囲】
【請求項１】
表側に配置された第１出光面と裏側に配置された第１裏面とを有する主体部と、前記主体部に対して折り曲げられるとともに少なくとも入光面を有する折曲部と、を含む導光板と、
前記入光面に光を照射する光源と、
前記導光板の前記主体部と前記光源との間に設けられた遮光部材と、
を備え、
前記導光板の前記折曲部は、前記入光面が前記主体部よりも裏側に位置するように折り曲げられていることを特徴とする面発光装置。
【請求項２】
前記遮光部材は、前記導光板と固定されている請求項１に記載の面発光装置。
【請求項３】
前記導光板の前記折曲部は、前記入光面が前記主体部の裏側に入り込むように折り曲げられている請求項１又は２に記載の面発光装置。
【請求項４】
前記光源は、前記遮光部材よりも裏側に配置されている請求項１〜３のいずれか一項に記載の面発光装置。
【請求項５】
前記光源からの光を前記入光面に導光する導光部材を更に備える請求項１〜４のいずれか一項に記載の面発光装置。
【請求項６】
前記導光部材は、光ファイバ又は反射鏡である請求項５に記載の面発光装置。
【請求項７】
前記導光板が複数であり、
一つの前記光源は、前記複数の導光板のそれぞれの入光面に光を照射するように配置されている請求項１〜６のいずれか一項に記載の面発光装置。
【請求項８】
前記遮光部材の表側には、意匠シートが設けられている請求項１〜７のいずれか一項に記載の面発光装置。
【請求項９】
少なくとも前記導光板の前記主体部のヘイズが１０％以下である請求項８に記載の面発光装置。
【請求項１０】
前記導光板の表側には、意匠シートが設けられている請求項１〜７のいずれか一項に記載の面発光装置。
【請求項１１】
前記導光板において、前記主体部及び前記折曲部の内部には、光を散乱する粒子が分散されており、
前記主体部の内部に分散された粒子の濃度が、前記折曲部の内部に分散された粒子の濃度よりも大きい請求項１〜１０のいずれか一項に記載の面発光装置。
【請求項１２】
前記導光板において、少なくとも前記主体部の前記第１裏面は凹凸状にされている請求項１〜１０のいずれか一項に記載の面発光装置。
【請求項１３】
前記折曲部は、表側に配置された第２出光面と裏側に配置された第２裏面とを更に有し、
前記折曲部の前記第２裏面は、凹凸状にされており、
前記主体部の前記第１裏面の凹凸の散乱機能が、前記折曲部の前記第２裏面の凹凸の散乱機能よりも大きい請求項１２に記載の面発光装置。
【請求項１４】
請求項１〜１３のいずれか一項に記載の面発光装置の製造方法であって、
前記導光板を準備する工程と、
前記遮光部材を前記導光板に固定させる工程と、
前記入光面と対面するように前記光源を配置させる工程と、
を含む面発光装置の製造方法。
【請求項１５】
請求項１〜１３のいずれか一項に記載の面発光装置の製造方法であって、
前記導光板を準備する工程と、
前記遮光部材としての壁又は天井に前記導光板に固定させる工程と、
前記入光面と対面するように前記光源を配置させる工程と、
を含む面発光装置の製造方法。
【請求項１６】
表側に配置された第１出光面と裏側に配置された第１裏面とを有する主体部と、
前記主体部に対して折り曲げられるとともに、少なくとも入光面を有する折曲部と、
を含み、
前記折曲部は、前記入光面が前記主体部よりも裏側に位置するように折り曲げられている導光板。
【請求項１７】
前記折曲部は、前記入光面が前記主体部の前記第１出光面と直交するように半円状に折り曲げられている請求項１６に記載の導光板。
【請求項１８】
前記折曲部は、表側に配置された第２出光面と、裏側に配置された第２裏面とを更に有し、
前記主体部の前記第１出光面と前記折曲部の前記第２出光面とは、連続した面となっている請求項１６又は１７に記載の導光板。
【発明の詳細な説明】
【技術分野】
【０００１】
本開示の実施形態は、面発光装置、面発光装置の製造方法及び導光板に関する。
【背景技術】
【０００２】
従来、このような分野の技術として、例えば下記特許文献１に記載されるものがある。特許文献１には、線状光源と、光源からの光を出射する出光面を有する導光板と、導光板の出光面に配置された光拡散板と、導光板における出光面とは反対側の裏面に配置された光反射板と、を備える面発光装置が開示されている。光源、導光板、光反射板及び光拡散板は、導光板の出光面の周縁部に配置された枠状の第１のフレームと、導光板の裏面側に配置された第２のフレームとの間に挟持されている。このように構成された面発光装置では、第１のフレーム及び第２のフレームを利用し、光源及び導光板等の固定を実現しつつ、光源の直接視認の防止を図っている。
【先行技術文献】
【特許文献】
【０００３】
【特許文献１】特開２００４−２１３９９８号公報
【発明の概要】
【発明が解決しようとする課題】
【０００４】
しかし、上述の面光源装置では、第１のフレームは導光板の出光面に沿って延びる枠板部を有しており、該枠板部が導光板の出光面の周縁部からの光を遮断するので、導光板の周縁部が光らない問題があった。この問題を解決するために、出光面の周縁部を覆う枠板部を除去する方法又はフレームをなくす方法等も考えられるが、いずれの場合も光源を直接視認できるようになるので、光源の存在を意識しやすい問題が新たに生じる。
【０００５】
本開示の実施形態は、上記の点に鑑みてなされたものであり、光源の直接視認を防止できるとともに、フレームの設置による導光板の出光面における光らない問題を解消できる面発光装置、面発光装置の製造方法及び導光板を提供することを目的とする。
【課題を解決するための手段】
【０００６】
本開示の実施形態に係る面発光装置は、表側に配置された第１出光面と裏側に配置された第１裏面とを有する主体部と、前記主体部に対して折り曲げられるとともに少なくとも入光面を有する折曲部と、を含む導光板と、前記入光面に光を照射する光源と、前記導光板の前記主体部と前記光源との間に設けられた遮光部材と、を備え、前記導光板の前記折曲部は、前記入光面が前記主体部よりも裏側に位置するように折り曲げられていることを特徴としている。
【０００７】
本開示の実施形態に係る面発光装置では、導光板の折曲部は入光面が主体部の裏側に回り込むように折り曲げられ、導光板の主体部と光源との間に遮光部材が設けられているので、光源の直接視認を防止することができる。これによって、従来のように光源の直接視認を防止するためのフレームを設ける必要がなくなるので、フレームの設置による導光板の出光面における光らない問題を解消することができる。
【０００８】
本開示の一実施形態に係る面発光装置において、前記遮光部材は、前記導光板と固定されていてもよい。
【０００９】
本開示の一実施形態に係る面発光装置において、前記導光板の前記折曲部は、前記入光面が前記主体部の裏側に入り込むように折り曲げられていてもよい。
【００１０】
本開示の一実施形態に係る面発光装置において、前記光源は、前記遮光部材よりも裏側に配置されていてもよい。
【００１１】
また、本開示の一実施形態に係る面発光装置において、前記光源からの光を前記入光面に導光する導光部材を更に備えていてもよい。
【００１２】
また、本開示の一実施形態に係る面発光装置において、前記導光部材は、光ファイバ又は反射鏡であってもよい。
【００１３】
また、本開示の一実施形態に係る面発光装置において、前記導光板が複数であり、一つの前記光源は、前記複数の導光板のそれぞれの入光面に光を照射するように配置されていてもよい。
【００１４】
更に、本開示の一実施形態に係る面発光装置において、前記遮光部材の表側には、意匠シートが設けられていてもよい。
【００１５】
更に、本開示の一実施形態に係る面発光装置において、少なくとも前記導光板の前記主体部のヘイズが１０％以下であってもよい。
【００１６】
更に、本開示の一実施形態に係る面発光装置において、前記導光板の表側には、意匠シートが設けられていてもよい。
【００１７】
更に、本開示の一実施形態に係る面発光装置において、前記導光板において、前記主体部及び前記折曲部の内部には、光を散乱する粒子が分散されており、前記主体部の内部に分散された粒子の濃度が、前記折曲部の内部に分散された粒子の濃度よりも大きくてもよい。
【００１８】
更に、本開示の一実施形態に係る面発光装置において、前記導光板において、少なくとも前記主体部の前記第１裏面は凹凸状にされていてもよい。
【００１９】
更に、本開示の一実施形態に係る面発光装置において、前記折曲部は、表側に配置された第２出光面と裏側に配置された第２裏面とを更に有し、前記折曲部の前記第２裏面は、凹凸状にされており、前記主体部の前記第１裏面の凹凸の散乱機能が、前記折曲部の前記第２裏面の凹凸の散乱機能よりも大きくてもよい。
【００２０】
本開示の実施形態に係る面発光装置の製造方法は、上述の面発光装置の製造方法であって、前記導光板を準備する工程と、前記遮光部材を前記導光板に固定させる工程と、前記入光面と対面するように前記光源を配置させる工程と、を含む。
【００２１】
本開示の実施形態に係る面発光装置の製造方法は、上述の面発光装置の製造方法であって、前記導光板を準備する工程と、前記遮光部材としての壁又は天井に前記導光板に固定させる工程と、前記入光面と対面するように前記光源を配置させる工程と、を含む。
【００２２】
本開示の実施形態に係る導光板は、表側に配置された第１出光面と裏側に配置された第１裏面とを有する主体部と、前記主体部に対して折り曲げられるとともに、少なくとも入光面を有する折曲部と、を含み、前記折曲部は、前記入光面が前記主体部よりも裏側に位置するように折り曲げられている。
【００２３】
本開示の一実施形態に係る導光板において、前記折曲部は、前記入光面が前記主体部の前記第１出光面と直交するように半円状に折り曲げられていてもよい。
【００２４】
また、本開示の一実施形態に係る導光板において、前記折曲部は、表側に配置された第２出光面と、裏側に配置された第２裏面とを更に有し、前記主体部の前記第１出光面と前記折曲部の前記第２出光面とは、連続した面となっていてもよい。
【発明の効果】
【００２５】
本開示によれば、光源の直接視認を防止できるとともに、フレームの設置による導光板の出光面における光らない問題を解消することができる。
【図面の簡単な説明】
【００２６】
【図１】第１実施形態の面発光装置を示す分解斜視図である。
【図２】第１実施形態の面発光装置を示す部分断面図である。
【図３】第２実施形態の面発光装置を示す断面図である。
【図４】第３実施形態の面発光装置を示す断面図である。
【図５】第４実施形態の面発光装置を示す断面図である。
【図６】第５実施形態の面発光装置を示す断面図である。
【図７】第６実施形態の面発光装置を示す断面図である。
【図８】第７実施形態の面発光装置を示す断面図である。
【図９】第８実施形態の面発光装置を示す断面図である。
【図１０】第９実施形態の面発光装置を示す断面図である。
【図１１】第１０実施形態の面発光装置を示す分解斜視図である。
【図１２】（ａ）は図１１のＡ−Ａ線に沿う断面図であり、（ｂ）は図１１のＢ−Ｂ線に沿う断面図である。
【図１３】第１１実施形態の面発光装置を示す断面図である。
【図１４】第１２実施形態の面発光装置を示す断面図である。
【図１５】第１３実施形態の面発光装置を示す断面図である。
【発明を実施するための形態】
【００２７】
以下、図面を参照して本開示の実施形態について説明する。図面の説明において同一の要素には同一符号を付し、その重複する説明を省略する。また、以下の説明において、特に断らない限り、「表側」は部屋の空間に面する側或いは観察者に面する側、「裏側」はその反対側をそれぞれ示す。
【００２８】
また、第１実施形態を除いた他の実施形態では、面発光装置の構造が装置の中心軸に対して左右対称であるので、基本的に片側（例えば左側）の構造のみを説明する。
【００２９】
＜第１実施形態＞
図１は第１実施形態の面発光装置を示す分解斜視図であり、図２は第１実施形態の面発光装置を示す部分断面図である。本実施形態の面発光装置１は、いわゆるエッジライト型の発光装置であり、部屋の天井、壁などに取り付けられて使用されるものである。この面発光装置１は、光源２と、該光源２からの光を面状に出射する導光板３と、光源２と導光板３との間に設けられた遮光部材４とを備えている。
【００３０】
光源２は、長尺状の光源基板２１と、該光源基板２１の長手方向に沿って等間隔で直線状に実装された複数の点状ＬＥＤ２２とを有する。光源２には、ＬＥＤのほか、冷陰極管、白熱電球、レーザー発振装置等も用いることができるが、装置全体の小型化を図り易くする観点からは、点状のＬＥＤを用いることが好適である。
【００３１】
導光板３は、例えば透光性の高いアクリル樹脂材料によって形成されており、相対的に面積が大きく形成された直線状の主体部３１と、該主体部３１に対して折り曲げられるとともに、相対的に面積が小さく形成された円弧状の折曲部３２とを含んで構成されている。主体部３１は、矩形状の薄板からなり、表側に配置された第１出光面３１ａと、該第１出光面３１ａと対向して裏側に配置された第１裏面３１ｂとを有する。
【００３２】
折曲部３２は、主体部３１と一体的に形成されるとともに、後述する入光面３２ｃが主体部３１よりも裏側に位置するように、大局的にみて、主体部３１の裏側に向かって約９０度で湾曲している。ただし、大局的にみた、折曲部３２と主体部３１とのなす角度は、上記に限らず、０°より大きく１８０°未満であってもよい。この折曲部３２は、表側に配置された曲面状の第２出光面３２ａと、第２出光面３２ａと対向して裏側に配置された曲面状の第２裏面３２ｂとを有する。なお、折曲部３２において、第２裏面３２ｂと対向する面を第２出光面と称しているが、当該面より光が出射されない場合もあり、すなわち当該面を出光面としない場合もある。そして、第２出光面３２ａと主体部３１の第１出光面３１ａとは、段差のない連続した平滑面を形成している。同様に、第２裏面３２ｂと主体部３１の第１裏面３１ｂとは、段差のない連続した平滑面を形成している。
【００３３】
折曲部３２において、第２出光面３２ａと第２裏面３２ｂとの間には、３つの側端面が配置されている。これらの側端面のうち、主体部３１から最も離れた位置に配置された側端面３２ｃは、光源２と対面しており、該光源２からの光を入射する入光面とされている。以下、該側端面３２ｃを入光面３２ｃと称する。
【００３４】
導光板３において、主体部３１及び折曲部３２の内部には、光を散乱する粒子が分散されている。好適には、主体部３１の内部に分散された粒子の濃度は、折曲部３２の内部に分散された粒子の濃度よりも大きい。このようにすれば、光源２に近い折曲部３２で光の取り出しを抑え、光源２から遠い主体部３１で光を取り出しやすくすることで主体部３１と折曲部３２とで均一に発光させることができる。
【００３５】
そして、光を散乱する粒子としては、炭酸カルシウム、硫酸バリウム、ガラス、ＴｉＯ2等のいずれかからなる無機系粒子、またはアクリル系樹脂、シリコーン系樹脂等からなる有機系粒子等が挙げられる。
【００３６】
遮光部材４は、光源２からの光を遮断できる材料によって薄板状に形成されており、導光板３の主体部３１と光源２との間に配置されている。より具体的には、この遮光部材４は、導光板３の主体部３１と平行して配置され、入光面３２ｃと当接した状態で接着やねじ止め等で導光板３と固定されている。
【００３７】
また、遮光部材４において、光源２の各点状ＬＥＤ２２に対応する位置には、遮光部材４を貫通する貫通孔４１がそれぞれ形成されている。貫通孔４１の孔径は、点状ＬＥＤ２２を収容できるサイズと設定されている。従って、光源２と導光板３の入光面３２ｃとの間に遮光部材４を介在させた状態では、光源２の点状ＬＥＤ２２が貫通孔４１の内部に入り込み、貫通孔４１の内部に収容される。
【００３８】
このように構成された面発光装置１では、導光板３の折曲部３２は入光面３２ｃが主体部３１より裏側に位置するように折り曲げられ、且つ光源２と導光板３の主体部３１との間に遮光部材４が設けられているので、光源２の直接視認を防止することができる。従って、従来のように光源の直接視認を防止するためのフレームを設ける必要がなくなるので、フレームの設置による導光板の出光面における光らない問題を解消することができる。加えて、遮光部材４が導光板３と固定されているので、面発光装置１全体の取り付け作業及び取り外し作業を容易に行うことができる。
【００３９】
なお、本実施形態では、光を散乱する粒子に代えて主体部３１の第１裏面３１ｂ及び折曲部３２の第２裏面３２ｂを凹凸状としても良い。この場合、主体部３１の第１裏面３１ｂの凹凸の散乱機能は、折曲部３２の第２裏面３２ｂの凹凸の散乱機能よりも大きいことが好ましい。このようにすれば、光源２に近い折曲部３２で光の取り出しを抑え、光源２から遠い主体部３１で光を取り出しやすくすることで主体部３１と折曲部３２とで均一に発光させることができる。
【００４０】
ここで、散乱機能とは、単位長さ当たりで散乱させる光束の割合と定義されている。散乱機能を変える手段としては、例えば凹凸の形状、大きさ、密度のいずれかを変化させることが挙げられる。また、凹凸として、プリズム、ピラミッド、すりガラスのようなランダムな凹凸、マイクロレンズ、それらの組み合わせなどが用いられる。
【００４１】
＜面発光装置の製造方法＞
上述した面発光装置１の製造方法は、導光板３を準備する導光板準備工程と、遮光部材４を導光板３に固定させる遮光部材固定工程、導光板３の入光面と対面するように光源２を配置させる光源配置工程とを含む。なお、遮光部材固定工程及び光源配置工程の順序は、現場での作業し易さや作業効率の向上等を考慮し、入れ替えることが可能である。
【００４２】
まず、導光板準備工程では、主体部３１及び折曲部３２を有する導光板３を作製して用意する。導光板３は、例えば一枚のアクリル樹脂板の一端部を約９０°に折り曲げて主体部３１と折曲部３２とを有するように作製されても良い。或いは、直線状の主体部３１と円弧状の折曲部３２とを個別に作製し、これらの側端面同士を突き合わせて接着で一体化されても良い。
【００４３】
遮光部材固定工程では、遮光部材４を導光板３の入光面３２ｃと当接させ、接着やねじ止め等で該導光板３と固定させる。
【００４４】
光源配置工程では、光源２の点状ＬＥＤ２２を遮光部材４の貫通孔４１に入り込むように、該光源２を折曲部３２の入光面３２ｃと対面して配置させる。これによって、面発光装置１の製造が完成する。
【００４５】
一方、遮光部材４として壁又は天井を用いることができる。この場合、面発光装置１の製造方法は、導光板３を準備する導光板準備工程と、遮光部材４としての壁又は天井を導光板３に固定させる遮光部材固定工程、導光板３の入光面と対面するように光源２を配置させる光源配置工程とを含む。
【００４６】
＜第２実施形態＞
図３は第２実施形態の面発光装置を示す断面図である。本実施形態の面発光装置１Ａは、装置の中心軸Ｌに対して左右対称である点において、上述の第１実施形態と相違している。その他の構成は第１実施形態と同様であるので、その重複説明を省略する。
【００４７】
図３に示すように、本実施形態に係る面発光装置１Ａは、装置の中心軸Ｌに対して左右対称に配置された断面Ｕ字状の導光板３Ａと、導光板３ＡのＵ字の開口部分を被せるように配置された遮光部材４Ａとを備えている。導光板３Ａは、直線状の主体部３１と、該主体部３１の左右両側に配置されてそれぞれ直線状の左側折曲部３２Ｌと右側折曲部３２Ｒによって、一体的に形成されている。左側折曲部３２Ｌと右側折曲部３２Ｒとは、それぞれ第１実施形態の折曲部３２と同じ構造を有し、装置の中心軸Ｌに対して左右対称になっている。従って、本実施形態の導光板３Ａは、装置の中心軸Ｌに対して左右対称となる一対の入光面３２ｃ（すなわち、左側折曲部３２Ｌの入光面３２ｃ、右側折曲部３２Ｒの入光面３２ｃ）を有する。
【００４８】
これらの一対の入光面３２ｃに対応し、本実施形態の面発光装置１Ａは２つの光源（左側光源２Ｌ，右側光源２Ｒ）を更に備えている。左側光源２Ｌと右側光源２Ｒとは、装置の中心軸Ｌに対して左右対称に配置され、左側折曲部３２Ｌの入光面３２ｃ、右側折曲部３２Ｒの入光面３２ｃと対面している。一方、遮光部材４Ａにおいて、左側光源２Ｌ及び右側光源２Ｒの各点状ＬＥＤ２２に対応する位置には、遮光部材４を貫通する貫通孔４１がそれぞれ形成されている。
【００４９】
このように構成された面発光装置１Ａは、第１実施形態と同様な作用効果を得られるほか、入光面及び光源をそれぞれ２つ有するので、第１出光面３１ａ及び第２出光面３２ａから出射される光の強度を強くすることができる。
【００５０】
＜第３実施形態＞
図４は第３実施形態の面発光装置を示す断面図である。本実施形態の面発光装置１Ｂは、遮光部材４Ａの表側に意匠シート５を設ける点において、上述の第２実施形態と相違している。その他の構成は第２実施形態と同様であるので、その重複説明を省略する。
【００５１】
図４に示すように、遮光部材４Ａにおける表側の主面４ａには、意匠シート５が貼り付けられている。意匠シート５は、意匠効果をもたらすものであり、例えば紙製、樹脂製或いは布製等のシートに模様、形状、色彩等を付したものである。この場合、第１出光面３１ａの表側から意匠シート５を見やすくするために、少なくとも主体部３１の第１出光面３１ａのヘイズが１０％以下であることが好ましい。なお、ヘイズは、ヘイズメーター（村上色彩技術研究所製、製品番号；ＨＭ−１５０）を使用し、例えば１辺５０ｍｍの正方形の試験片を１つ用意し、試験片の面内で測定する場所を変えて３回測定して平均値を算出し、その値をヘイズとする以外はＪＩＳ  Ｋ７１３６に準じて測定する。
【００５２】
このように構成された面発光装置１Ｂは、上述の第２実施形態と同様な作用効果を得られるほか、遮光部材４Ａの表側に意匠シート５を設けるので、面発光装置１Ｂの意匠性を向上することができる。
【００５３】
＜第４実施形態＞
図５は第４実施形態の面発光装置を示す断面図である。本実施形態の面発光装置１Ｃは、導光板３Ａの表側に意匠シート５Ａを設ける点において、上述の第２実施形態と相違している。その他の構成は第２実施形態と同様であるので、その重複説明を省略する。
【００５４】
図５に示すように、主体部３１の第１出光面３１ａと、左側折曲部３２Ｌ及び右側折曲部３２Ｒの第２出光面３２ａとからなる全範囲に亘って、意匠シート５Ａが貼り付けられている。意匠シート５Ａは、上述した意匠シート５と同じ構造を有するものである。
【００５５】
このように構成された面発光装置１は、上述の第２実施形態と同様な作用効果を得られるほか、導光板３Ａの表側に意匠シート５Ａを設けるので、面発光装置１Ｃの意匠性を向上することができる。
【００５６】
＜第５実施形態＞
図６は第５実施形態の面発光装置を示す断面図である。本実施形態の面発光装置１Ｄは、遮光部材４Ｂの固定方法において第２実施形態と相違している。その他の構成は第２実施形態と同様であるので、その重複説明を省略する。
【００５７】
図６に示すように、本実施形態の面発光装置１Ｄにおいて、左側光源２Ｌは左側光源保持部材６Ｌ、右側光源２Ｒは右側光源保持部材６Ｒによってそれぞれ保持されている。左側光源保持部材６Ｌと右側光源保持部材６Ｒとは、装置の中心軸Ｌに対して左右対称になっている。
【００５８】
左側光源保持部材６Ｌは、レール状に形成され、左側光源２Ｌの光源基板２１と対面し、該光源基板２１の長手方向に延設される天板部６１と、天板部６１の幅方向の両端から導光板３Ａ側に延びるとともに、互いに対向する一対の側壁部６２，６３とを有する。そして、左側光源２Ｌは、左側光源保持部材６Ｌの内部に収容されており、光源基板２１と天板部６１との接着を介して左側光源保持部材６Ｌに固定されている。また、左側光源２Ｌと対面する左側折曲部３２Ｌの入光面３２ｃは、左側光源保持部材６Ｌの内部に入り込むように配置されることが好ましい。
【００５９】
また、側壁部６２及び側壁部６３のうち、装置の中心軸Ｌに近い側壁部６３には、装置の中心軸Ｌ側に突出する上下一対の突出片６４，６５が設けられている。この一対の突出片６４，６５及び側壁部６３によって、左側光源保持部材６Ｌには、遮光部材４Ｂの端部を挿入できる凹溝が形成されている。
【００６０】
そして、遮光部材４Ｂは、一端部が左側光源保持部材６Ｌの凹溝、他端部が右側光源保持部材６Ｒの凹溝にそれぞれ挿入されることで、左側光源保持部材６Ｌ及び右側光源保持部材６Ｒに保持されている。
【００６１】
このように構成された面発光装置１Ｄは、上述の第２実施形態と同様な作用効果を得られるほか、遮光部材４Ｂが光源保持部材によって保持されるので、光源保持部材を有する従来の面発光装置を流用することができる。その結果、面発光装置１Ｄのコスト削減を図ることが可能になる。
【００６２】
＜第６実施形態＞
図７は第６実施形態の面発光装置を示す断面図である。本実施形態の面発光装置１Ｅは、導光板３Ｂの構造及び遮光部材４Ｃ固定方法において、第２実施形態と相違している。その他の構成は第２実施形態と同様であるので、その重複説明を省略する。
【００６３】
図７に示すように、導光板３Ｂは、直線状の主体部３１と、該主体部３１の左右両側に配置されてそれぞれ直線状の左側折曲部３３Ｌと右側折曲部３３Ｒによって、一体的に形成されている。左側折曲部３３Ｌと右側折曲部３３Ｒとは、装置の中心軸Ｌに対して左右対称になっている。
【００６４】
左側折曲部３３Ｌは、表側に配置された第２出光面３３ａと、裏側に配置された第２裏面３３ｂと、第２出光面３３ａ及び第２裏面３３ｂの間に配置されるとともに、光源からの光が入射する入光面３３ｃとを有する。この左側折曲部３３Ｌは、入光面３３ｃが主体部３１の裏側に入り込むように折り曲げられている。より具体的には、該左側折曲部３３Ｌは、その入光面３３ｃが主体部３１の第１出光面３１ａと直交するように半円状に湾曲している。左側光源２Ｌは、入光面３３ｃと対面しており、遮光部材４Ｃよりも裏側に配置されている。
【００６５】
一方、本実施形態において、遮光部材４Ｃは、主体部３１、左側折曲部３３Ｌ及び右側折曲部３３Ｒとで形成された空間の内部に収容されるとともに、主体部３１と平行して配置されている。この遮光部材４Ｃは、その左右両端部を左側折曲部３３Ｌ及び右側折曲部３３Ｒにそれぞれ設けられた凹溝３３ｄに嵌め込むことで、導光板３Ｂと固定されている。
【００６６】
このように構成された面発光装置１Ｅは、上述の第２実施形態と同様な作用効果を得られるほか、左側光源２Ｌ、右側光源２Ｒ、左側折曲部３３Ｌ及び右側折曲部３３Ｒの入光面３３ｃが遮光部材４Ｃに隠れるので、仮に左側光源２Ｌ及び右側光源２Ｒ近傍で漏れ光が発生しても、遮光部材４Ｃによって遮断されるので、外部への漏れを抑制することができる。
【００６７】
＜第７実施形態＞
図８は第７実施形態の面発光装置を示す断面図である。本実施形態の面発光装置１Ｆは、遮光部材４Ｄの固定方法において第６実施形態と相違している。その他の構成は第６実施形態と同様であるので、その重複説明を省略する。
【００６８】
図８に示すように、遮光部材４Ｄは、主体部３１、左側折曲部３３Ｌ及び右側折曲部３３Ｒとで形成された空間の内部に収容されるとともに、主体部３１と平行して配置されている。遮光部材４Ｄは、導光板３Ｂに直接に固定されずに、左右一対の吊持部材７Ｌ，７Ｒを介して導光板３Ｂと固定されている。吊持部材７Ｌ，７Ｒは、例えば樹脂板からなり、上端が接着やネジ止め等で第２裏面３３ｂと固定され、下端が接着やネジ止め等で遮光部材４Ｃの裏側の表面と固定されている。
【００６９】
このように構成された面発光装置１Ｆは、上述の第６実施形態と同様な作用効果を得られるほか、第６実施形態のように左側折曲部３３Ｌ及び右側折曲部３３Ｒに凹溝３３ｄを設置する必要がないので、凹溝３３ｄの設置による導光板３Ｂ内部での光反射への影響を防止することができる。
【００７０】
＜第８実施形態＞
図９は第８実施形態の面発光装置を示す断面図である。本実施形態の面発光装置１Ｇは、光源からの光を入光面３２ｃに導光する導光部材を更に備える点において、第２実施形態と相違している。その他の構成は第２実施形態と同様であるので、その重複説明を省略する。
【００７１】
図９に示すように、本実施形態の面発光装置１Ｇは、左側光源２Ｌに対応する左側導光部材８Ｌと、右側光源２Ｒに対応する右側導光部材８Ｒとを更に備えている。左側導光部材８Ｌと右側導光部材８Ｒとは、装置の中心軸Ｌに対して左右対称になっている。
【００７２】
左側導光部材８Ｌは、複数の反射鏡によって有頂筒状に形成されている。左側光源２Ｌは、左側導光部材８Ｌの内部に収容され、接着等で左側導光部材８Ｌの頂部に固定されている。そして、左側光源２Ｌからの光は、左側導光部材８Ｌに鏡面反射されながら、遮光部材４Ａの貫通孔４１を通り、左側折曲部３２Ｌの入光面３２ｃに入射する。
【００７３】
このように構成された面発光装置１Ｇは、上述の第２実施形態と同様な作用効果を得られるほか、光源からの光を入光面３２ｃに導光する導光部材（左側導光部材８Ｌ，右側導光部材８Ｒ）を更に備えるので、光源の配置位置を自由に調整することができる。
【００７４】
＜第９実施形態＞
図１０は第９実施形態の面発光装置を示す断面図である。本実施形態の面発光装置１Ｈは、光源からの光を入光面３２ｃに導光する光ファイバを更に備える点において、第２実施形態と相違している。その他の構成は第２実施形態と同様であるので、その重複説明を省略する。
【００７５】
図１０に示すように、本実施形態の面発光装置１Ｈは、左側光源２Ｌに対応する左側光ファイバ９Ｌと、右側光源２Ｒに対応する右側光ファイバ９Ｒとを更に備えている。左側光ファイバ９Ｌと右側光ファイバ９Ｒとは、装置の中心軸Ｌに対して左右対称になっている。
【００７６】
左側光源２Ｌは、左側折曲部３２Ｌの入光面３２ｃから所定の距離で離れて配置され、左側光ファイバ（導光部材）９Ｌを介して入光面３２ｃに光を照射する。左側光ファイバ９Ｌは、その一端が左側光源２Ｌの点状ＬＥＤ２２の近傍、他端が遮光部材４Ａの貫通孔４１の近傍にそれぞれ延びている。
【００７７】
このように構成された面発光装置１Ｈは、上述の第２実施形態と同様な作用効果を得られるほか、光源からの光を入光面３２ｃに導光する光ファイバ（左側光ファイバ９Ｌ，右側光ファイバ９Ｒ）を更に備えるので、光源の配置位置を自由に調整することができる。
【００７８】
＜第１０実施形態＞
図１１は第１０実施形態の面発光装置を示す分解斜視図であり、図１２（ａ）は図１１のＡ−Ａ線に沿う断面図であり、図１２（ｂ）は図１１のＢ−Ｂ線に沿う断面図である。本実施形態の面発光装置１Ｊは、導光板の主体部３１の左右両側に加えて前後両側にも折曲部が更に設けられる点において、上述の第２実施形態と相違している。その他の構成は第２実施形態と同様であるので、その重複説明を省略する。
【００７９】
具体的には、面発光装置１Ｊは、上方に開口した略箱状の導光板３Ｃと、該導光板３Ｃの開口を覆うように配置された矩形状の遮光部材４Ｄと、遮光部材４Ｄの裏側に配置された四角枠状の光源部１０とを備えている。導光板３Ｃは、矩形状の主体部３１と、主体部３１の左右両縁及び前後両縁から裏側に折り曲げられた４つの折曲部（左側折曲部３２Ｌ、右側折曲部３２Ｒ、前側折曲部３２Ｍ及び後側折曲部３２Ｎ）とを含んで構成されている。
【００８０】
左側折曲部３２Ｌ及び右側折曲部３２Ｒは、上述の第２実施形態と同様な構造を有する。一方、前側折曲部３２Ｍ及び後側折曲部３２Ｎは、装置の中心軸Ｌに対して前後対称になっており、それぞれの入光面３２ｃが主体部３１よりも裏側に位置するように折り曲げられている。これによって、導光板３Ｃは４つの入光面３２ｃを有する。これらの４つの入光面３２ｃは、互いに連結しており、四角枠状を呈する。
【００８１】
４つの入光面３２ｃに対応して、光源部１０は、左側光源２Ｌ、右側光源２Ｒ、前側光源２Ｍ及び後側光源２Ｎを有するように構成されている。これらの光源は四角枠状になっている。一方、遮光部材４Ｄにおいて、左側光源２Ｌ、右側光源２Ｒ、前側光源２Ｍ及び後側光源２Ｎの各点状ＬＥＤ２２に対応する位置には、遮光部材４Ｄを貫通する貫通孔４１がそれぞれ設けられている。図１１に示すように、これらの貫通孔４１は、遮光部材４Ｄの周縁部に沿って配列されている。
【００８２】
このように構成された面発光装置１Ｊは、第１実施形態と同様な作用効果を得られるほか、入光面及び光源をそれぞれ４つ有するので、第１出光面３１ａ及び第２出光面３２ａから出射される光の強度を更に強くすることができる。
【００８３】
＜第１１実施形態＞
図１３は第１１実施形態の面発光装置を示す断面図である。本実施形態の面発光装置１Ｋは、第２実施形態の面発光装置１Ａを複数並設することによって形成されている。これらの面発光装置１Ａは、それぞれの第１出光面３１ａが同一平面に位置し、且つ隣接する面発光装置１Ａ同士の間に隙間が生じないように近接されている。
【００８４】
このように構成された面発光装置１Ｋは、上述の第２実施形態と同様な作用効果を得られる。また、従来のようなフレームを設置する必要がないので、フレームの設置によって隣接する面発光装置の間に生じる光らない部分（すなわち、隣接する面発光装置同士間の隙間）がない。これによって、面発光装置１Ｋ全体の統一感を高める効果を奏する。
【００８５】
＜第１２実施形態＞
図１４は第１２実施形態の面発光装置を示す断面図である。本実施形態の面発光装置１Ｌは、第６実施形態の１Ｅを複数並設することによって形成されている。これらの面発光装置１Ｅは、それぞれの第１出光面３１ａが同一平面に位置し、且つ隣接する面発光装置１Ｅ同士の間に隙間が生じないように近接されている。
【００８６】
このように構成された面発光装置１Ｌは、上述の第６実施形態と同様な作用効果を得られる。また、従来のようなフレームを設置する必要がないので、フレームの設置によって隣接する面発光装置の間に生じる光らない部分（すなわち、隣接する面発光装置同士間の隙間）がない。これによって、面発光装置１Ｌ全体の統一感を高める効果を奏する。
【００８７】
＜第１３実施形態＞
図１５は第１３実施形態の面発光装置を示す断面図である。本実施形態の面発光装置１Ｍでは、２種類の導光板３Ｄ，３Ｅが交互に並設されており、隣接する導光板３Ｄ，３Ｅに対して一つの光源で対応するようになっている。
【００８８】
図１５に示すように、導光板３Ｄは、主体部３１と、該主体部３１の左右両側に配置された一対の折曲部（左側折曲部３４Ｌ及び右側折曲部３４Ｒ）とを含んで構成されている。左側折曲部３４Ｌ及び右側折曲部３４Ｒは、装置の中心軸Ｌに対して左右対称になっている。
【００８９】
左側折曲部３４Ｌは、表側に配置された第２出光面３４ａと、裏側に配置された第２裏面３４ｂと、第２出光面３４ａ及び第２裏面３４ｂの間に配置されるとともに、光源２からの光が入射する入光面３４ｃとを有する。この左側折曲部３４Ｌは、入光面３４ｃが主体部３１の裏側に入り込むように略Ｃ字状に折り曲げられている。そして、左側折曲部３４Ｌと右側折曲部３４Ｒとは、それぞれの入光面３４ｃ同士が互いに近づくように配置されている。
【００９０】
一方、導光板３Ｅは、主体部３１と、該主体部３１の左右両側に配置された一対の折曲部（左側折曲部３５Ｌ及び右側折曲部３５Ｒ）とを含んで構成されている。左側折曲部３５Ｌ及び右側折曲部３５Ｒは、装置の中心軸Ｌに対して左右対称になっている。
【００９１】
左側折曲部３５Ｌは、表側に配置された第２出光面３５ａと、裏側に配置された第２裏面３５ｂと、第２出光面３５ａ及び第２裏面３５ｂの間に配置されるとともに、光源２からの光が入射する入光面３５ｃとを有する。この左側折曲部３５Ｌは、入光面３５ｃが主体部３１の裏側に入り込むように折り曲げられている。そして、図１５に示すように、左側折曲部３５Ｌと右側折曲部３５Ｒとは、それぞれの入光面３５ｃ同士が離れるように外方（すなわち、装置の中心軸Ｌから離れる方向）に拡がって形成されている。
【００９２】
隣接する導光板３Ｄ及び導光板３Ｅにおいて、導光板３Ｄの左側折曲部３４Ｌと導光板３Ｅの右側折曲部３５Ｒ、導光板３Ｄの右側折曲部３４Ｒと導光板３Ｅの左側折曲部３５Ｌがそれぞれ近接されている。そして、導光板３Ｄの入光面３４ｃと導光板３Ｅの入光面３５ｃとは、繋ぐように近接されるとともに、同一平面に配置されている。このように導光板３Ｄの入光面３４ｃと導光板３Ｅの入光面３５ｃとが繋ぐように近接されているため、一つの光源２で二つの入光面（入光面３４ｃ，３５ｃ）に同時に光を照射することが可能である。
【００９３】
このように構成された面発光装置１Ｍは、上述の第１実施形態と同様な作用効果を得られるほか、一つの光源２が２つの導光板（導光板３Ｄ，３Ｅ）のそれぞれの入光面３２ｃに光を照射するように配置されるので、光源の数を減らすことができる。その結果、面発光装置１Ｍの構造を簡単化することができるとともに、コスト削減を図ることができる。
【００９４】
以上、本開示の実施形態について詳述したが、本発明は、上記の実施形態に限定されるものではなく、特許請求の範囲に記載された本発明の精神を逸脱しない範囲で、種々の設計変更を行うことができるものである。例えば、本発明は上述の各実施形態の組み合わせにも適用される。
【００９５】
また、上述の実施形態では、第２出光面と第２裏面とを有する折曲部について説明したが、折曲部は必ずしも第２出光面と第２裏面とを有するものではない。また、上述の実施形態では、円弧状に折り曲げられた折曲部を説明したが、段差を有する折れ線状の折曲部であっても良い。更に、上述の実施形態において、光源の点状ＬＥＤ２２が光源基板２１に沿って直線状に実装されることを説明したが、点状ＬＥＤ２２が千鳥状に実装されても良い。
【符号の説明】
【００９６】
１，１Ａ，１Ｂ，１Ｃ，１Ｄ，１Ｅ，１Ｆ，１Ｇ，１Ｈ，１Ｊ，１Ｋ，１Ｌ，１Ｍ    面発光装置
２    光源
２Ｌ    左側光源
２Ｒ    右側光源
２Ｍ    前側光源
２Ｎ    後側光源
３，３Ａ，３Ｂ，３Ｃ，３Ｄ，３Ｅ    導光板
４，４Ａ，４Ｂ，４Ｃ，４Ｄ    遮光部材
５，５Ａ    意匠シート
６Ｌ    左側光源保持部材
６Ｒ    右側光源保持部材
７Ｌ，７Ｒ    吊持部材
８Ｌ    左側導光部材
８Ｒ    右側導光部材
９Ｌ    左側光ファイバ（導光部材）
９Ｒ    右側光ファイバ（導光部材）
２１    光源基板
２２    点状ＬＥＤ
３１    主体部
３１ａ    第１出光面
３１ｂ    第１裏面
３２    折曲部
３２ａ，３３ａ，３４ａ，３５ａ    第２出光面
３２ｂ，３３ｂ，３４ｂ，３５ｂ    第２裏面
３２ｃ，３３ｃ，３４ｃ，３５ｃ    入光面
３２Ｌ，３３Ｌ，３４Ｌ，３５Ｌ    左側折曲部
３２Ｒ，３３Ｒ，３４Ｒ，３５Ｒ    右側折曲部
３２Ｍ    前側折曲部
３２Ｎ    後側折曲部
４１    貫通孔
Ｌ    装置の中心軸
【図１】
2019053964.tif 000003
【図２】
2019053964.tif 000004
【図３】
2019053964.tif 000005
【図４】
2019053964.tif 000006
【図５】
2019053964.tif 000007
【図６】
2019053964.tif 000008
【図７】
2019053964.tif 000009
【図８】
2019053964.tif 000010
【図９】
2019053964.tif 000011
【図１０】
2019053964.tif 000012
【図１１】
2019053964.tif 000013
【図１２】
2019053964.tif 000014
【図１３】
2019053964.tif 000015
【図１４】
2019053964.tif 000016
【図１５】
2019053964.tif 000017